(57)【要約】【課題】  物品に取り付けられたＲＦＩＤタグの物品情報が含まれる電磁波が、電磁遮蔽材による影響を受けることのなく読出装置に受信される商品陳列棚を提供すること。【解決手段】  商品陳列棚１に設けられた電磁遮蔽材からなる棚板３の上面から所定間隔以上離間するように背面板６、７に読出装置９、１０を設け、読出装置９、１０間に所定間隔以上離間させた電磁遮蔽材からなる電磁遮蔽板２２を設けることで、読出装置９、１０からの電磁波が棚板３に影響されることなく、棚板３上に載置される物品のＲＦＩＤタグ１１に受信させ、ＲＦＩＤタグ１１からの物品情報が含まれる電磁波を棚板３に影響されることなく読出装置９、１０に受信させることができ、且つ電磁遮蔽板２２によって背面板６、７に設けられた読出装置９、１０の電磁波が互いに干渉することなく、物品のＲＦＩＤタグ１１の情報を各棚板毎に読み出させることができる。【選択図】  図２
2005237653.tif 000002
【特許請求の範囲】
【請求項１】
左右に離間する脚柱の前後に、左右一対の前後方向を向くブラケットの一端部を各々支持し、該ブラケット上に、左右方向を向く棚板の両側を支持し、前後の棚板の後端縁間を離間させ、該棚板間における前記両脚柱間に互いが離間する前後の背面板を設けた商品陳列棚において、棚板上に載置される物品情報が記録されたＲＦＩＤタグが取り付けられた物品のＲＦＩＤタグの情報を読み出す読出装置を、電磁遮蔽材からなる前記各棚板の上面より所定間隔以上離間するように前記両背面板に各々取り付け、前記両背面板間にさらに前記各読出装置より所定間隔以上離間させた電磁遮蔽材からなる電磁遮蔽板を設けたことを特徴とする物品情報の読出装置を備える商品陳列棚。
【請求項２】
前記棚板を上下に離間させて複数枚設け、前記読出装置の取付位置を、上方に位置する棚板の下面と下方に位置する棚板の上面との何れ側からも所定間隔以上離間するようにして、前記背面板に取り付けた請求項１に記載の物品情報の読出装置を備える商品陳列棚。
【請求項３】
前記読出装置を、前記背面板の裏側に設けた請求項１または２に記載の物品情報の読出装置を備える商品陳列棚。
【請求項４】
前記両脚柱を、電磁遮蔽材からなるものとし、前記読出装置を、両脚柱の内側面より所定間隔以上離間するように設けた請求項１乃至３のいずれかに記載の物品情報の読出装置を備える商品陳列棚。
【請求項５】
前記棚板の側端部に電磁遮蔽材からなる側面板を設けた請求項１乃至４のいずれかに記載の物品情報の読出装置を備える商品陳列棚。
【請求項６】
前記読出装置と前記電磁遮蔽板との間に磁性体を設けた請求項１乃至５のいずれかに記載の物品情報の読出装置を備える商品陳列棚。
【発明の詳細な説明】
【技術分野】
【０００１】
本発明は、物品情報が記録されたＲＦＩＤタグの情報を読み出すための読出装置を備える商品陳列棚に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照。）。
【０００４】
【特許文献１】特開平７−１８２３５７号公報（段落００１１−００２２、第１−３図）
【発明の開示】
【発明が解決しようとする課題】
【０００５】
しかしながら、上記文献１のように什器側で物品情報を読み出すものにおいて、例えば、什器の一部が金属等の電磁遮蔽材（ＥＭＳ材）で構成されている場合には、読出装置の磁気アンテナから発生される電磁波の磁界の向きに対して、電磁遮蔽材からは磁界が逆向きに発生されることで、読出装置からの電磁波が電磁遮蔽材によって影響されてしまうためにＲＦＩＤタグに起電力が発生しにくくなり、ＲＦＩＤタグに記録される物品情報を含む電磁波の読み取りに不具合が生じることがあった。
【０００６】
そこで本発明は、このような問題点に着目してなされたもので、物品に取り付けられたＲＦＩＤタグの物品情報が含まれる電磁波が、電磁遮蔽材による影響を受けることのなく読出装置に受信される商品陳列棚を提供することを目的とする。
【課題を解決するための手段】
【０００７】
上記課題を解決するために、本発明の請求項１に記載の物品情報の読出装置を備える商品陳列棚は、左右に離間する脚柱の前後に、左右一対の前後方向を向くブラケットの一端部を各々支持し、該ブラケット上に、左右方向を向く棚板の両側を支持し、前後の棚板の後端縁間を離間させ、該棚板間における前記両脚柱間に互いが離間する前後の背面板を設けた商品陳列棚において、棚板上に載置される物品情報が記録されたＲＦＩＤタグが取り付けられた物品のＲＦＩＤタグの情報を読み出す読出装置を、電磁遮蔽材からなる前記各棚板の上面より所定間隔以上離間するように前記両背面板に各々取り付け、前記両背面板間にさらに前記各読出装置より所定間隔以上離間させた電磁遮蔽材からなる電磁遮蔽板を設けたことを特徴としている。
この特徴によれば、読出装置を電磁遮蔽材から所定間隔以上離間しておくことにより、読出装置からの電磁波を棚板である電磁遮蔽材に影響されることなくＲＦＩＤタグに受信させ、ＲＦＩＤタグからの電磁波を電磁遮蔽材に影響されることなく読出装置に受信させることができるとともに、両背面板間に各読出装置より所定間隔以上離間させた電磁遮蔽板を設けることで、商品陳列棚の前方と後方の背面板に設けられた読出装置の電磁波が互いに干渉することなく、物品のＲＦＩＤタグの情報を各棚板毎に読み出すことができる。
【０００８】
本発明の請求項２に記載の物品情報の読出装置を備える商品陳列棚は、請求項１に記載の物品情報の読出装置を備える商品陳列棚であって、前記棚板を上下に離間させて複数枚設け、前記読出装置の取付位置を、上方に位置する棚板の下面と下方に位置する棚板の上面との何れ側からも所定間隔以上離間するようにして、前記背面板に取り付けたことを特徴としている。
この特徴によれば、各棚板は電磁遮蔽材で構成されているので、上下に設置された読出装置同士の電磁波が棚板によって遮断され、互いの電磁波の干渉が防止されるとともに、各読出装置が上下に位置する電磁遮蔽材である各棚板よりも所定間隔離間して背面板に取り付けられているので、読出装置とＲＦＩＤタグの互いの電磁波の受信が電磁遮蔽材に影響されずに、物品のＲＦＩＤタグの情報を各棚板毎に読み出し可能となる。
【０００９】
本発明の請求項３に記載の物品情報の読出装置を備える商品陳列棚は、請求項１または２に記載の物品情報の読出装置を備える商品陳列棚であって、前記読出装置を、前記背面板の裏側に設けたことを特徴としている。
この特徴によれば、背面板の裏側に読出装置を設けることで、読出装置が陳列棚の前面に露出することなく見栄えが向上し、且つ背面板によって保護されることにより、外部からの衝撃による故障や劣化による補修等の問題が生じることを防止でき、長期にわたって使用することが可能となる。
【００１０】
本発明の請求項４に記載の物品情報の読出装置を備える商品陳列棚は、請求項１乃至３のいずれかに記載の物品情報の読出装置を備える商品陳列棚であって、前記両脚柱を、電磁遮蔽材からなるものとし、前記読出装置を、両脚柱の内側面より所定間隔以上離間するように設けたことを特徴としている。
この特徴によれば、読出装置を電磁遮蔽材である脚柱から所定間隔以上離間しておくと、読出装置とＲＦＩＤタグの互いの電磁波の受信が電磁遮蔽材に影響されることを防止できる。
【００１１】
本発明の請求項５に記載の物品情報の読出装置を備える商品陳列棚は、請求項１乃至４のいずれかに記載の物品情報の読出装置を備える商品陳列棚であって、前記棚板の側端部に電磁遮蔽材からなる側面板を設けたことを特徴としている。
この特徴によれば、電磁遮蔽材からなる側面板によって、読出装置からの電磁波を棚板の両側端で遮断することができ、読出装置によるＲＦＩＤタグの物品情報の読出範囲を制限することができるので、例えば、隣に配置される商品陳列棚に設置された読出装置との互いの電磁波の干渉や、電磁波の誤受信を未然に防止できる。
【００１２】
本発明の請求項６に記載の物品情報の読出装置を備える商品陳列棚は、請求項１乃至５のいずれかに記載の物品情報の読出装置を備える商品陳列棚であって、前記読出装置と前記電磁遮蔽板との間に磁性体を設けたことを特徴としている。
この特徴によれば、磁性体の介挿によって、読出装置とＲＦＩＤタグとの電磁波が電磁遮蔽材から影響を受けることがなく、ＲＦＩＤタグの物品情報の読み出しが正確に行える。しかも、電磁遮蔽材と読出装置との間隔が所定間隔離間幅よりもさらに間隔幅の狭い間隔となることから、棚板の物品載置スペースが充分確保されるとともに、商品陳列棚の設置面積の省スペース化を行うことが可能になる。
【発明を実施するための最良の形態】
【００１３】
本発明の実施例を以下に説明する。
【実施例１】
【００１４】
図1は、本発明の実施例１における物品情報の読出装置を備える商品陳列棚の斜視図であり、図２は、図１のＡ−Ａ線を示す一部破断縦断面図であり、図３は、図１のＢ−Ｂ線を示す平面断面図である。この商品陳列棚（以下、商品陳列棚１）は、スーパーやコンビニエンス・ストアー等の商品売り場に設置されており、商品陳列棚１に複数の商品を数多く載置して、消費者が直に商品（以下、物品１９）の取り出しを行えるようになっている。
【００１５】
本発明の実施例１を図面に基づいて説明すると、商品陳列棚１は図1に示されるように、床面に電磁遮蔽材（本実施例では金属スチール材）から構成された棚板が設けられた載置台５が設けられ、載置台５の後方に床面から上下方向に延びる電磁遮蔽材から構成された脚柱２が左右に一対にて所定間隔離間されて設けられている。また、脚柱２の背面側にも載置台５が対称的に設けられている。
【００１６】
両脚柱２の上端部には横架材８が挟持されるように設けられており、これら左右の脚柱２、載置台５、横架材８によって枠体が構成されている。この枠体の脚柱２間に非電磁遮蔽材（本実施例では硬質プラスチック材）から構成された背面板６と、同じく非電磁遮蔽材から構成された後述する背面板（図示略）とが前後に嵌合して取り付けられている。
【００１７】
脚柱２には係合穴２ａが上下方向に複数形成され、同様に脚柱２の背面側に図示しない係合穴が上下方向に複数形成される。脚柱２の下方には後述するＬＡＮケーブル２１を外部に配線するための配線孔２ｂが形成される。背面板６の所定の高さ位置には、上下方向に電磁遮蔽材から構成された棚板３が複数段設けられている。同様に背面板６の背面側に位置する背面板（図示略）にも棚板３が複数段設けられている。
【００１８】
これら棚板３は、脚柱の係合穴２ａ及び脚柱２の背面側の係合穴に予め取り付けられた複数段のブラケット４の上端に載置され係止されている。以下、本実施例では商品陳列棚１の正面側を前方とし、商品陳列棚１の背面側を後方として説明する。また、左右の脚柱２、載置台５、横架材８によって構成される前述の枠体内側を裏面側とし、この枠体の外方側を正面側として説明する。
【００１９】
この棚板３の上面には、後述において説明するＲＦＩＤ（Ｒａｄｉｏ  Ｆｒｅｑｕｅｎｃｙ  ＩＤｅｎｔｉｆｉｃａｔｉｏｎ、無線による識別）タグが取り付けられた物品１９が複数載置されている。背面板６の背面には各棚板３毎に対応するように、後述において詳述する読出装置である前面ＲＦＩＤアンテナ９が複数設けられる。同様に背面板６の後方に位置する背面板（図示略）の背面には後面ＲＦＩＤアンテナ（図示略）が複数設けられる。前後の載置台５の内部には、それぞれ集線装置やチューナ等の機能を備えた中継装置１６と、前面ＲＦＩＤアンテナ９及び後面ＲＦＩＤアンテナ（図示略）と中継装置１６に電力を給電するための電源アダプタ１７と、が設けられている。
【００２０】
各前面ＲＦＩＤアンテナ９及び後面ＲＦＩＤアンテナ（図示略）には、各種信号の送受信を行う信号ケーブル（図示略）と、電力を供給する給電ケーブル（図示略）と、を含む通信ケーブル１８が各々接続されており、信号ケーブルは中継装置１６内の集線装置に接続され、給電ケーブルは電源アダプタ１７に接続され商品陳列棚１内に配設されている。
【００２１】
中継装置１６はＬＡＮケーブル２１を介して、ＬＡＮ網に接続され物品管理システムの管理や運用を行う管理コンピュータ２０に接続されている。中継装置１６内にはデータ変換機能を備えたチューナによって、管理コンピュータ２０と前面ＲＦＩＤアンテナ９及び後面ＲＦＩＤアンテナ（図示略）間で種々のデータの送受信が行えるようになっている。
【００２２】
つまり、物品１９のＲＦＩＤタグの物品情報のデータが管理コンピュータ２０に送信されることで、管理コンピュータ３で複数の棚板３毎に載置される物品１９の物品情報の管理が一元的に行えるようになっている。
【００２３】
なお、本実施例の前面ＲＦＩＤアンテナ９及び後面ＲＦＩＤアンテナ（図示略）と、物品情報が記録されたＲＦＩＤタグには、それぞれコイル型のアンテナ（図示略）を用いており、前面ＲＦＩＤアンテナ９及び後面ＲＦＩＤアンテナ（図示略）とＲＦＩＤタグのコイル間に誘導されて発生する磁束を利用した電磁誘導方式により交信を行うようになってる。
【００２４】
そして、本実施例の前面ＲＦＩＤアンテナ９及び後面ＲＦＩＤアンテナ（図示略）の読み出し周波数は、電磁誘導方式の短波帯（１３．５６ＭＨｚ）の周波数を用いているが、本発明はこれら電磁誘導方式や周波数に限定されるものではなく、例えば、電磁誘導方式の長波帯（〜１３５ｋＨｚ）や、マイクロ波帯の電波を利用した電波方式のマイクロ波帯（２．４５ＧＨｚ）等を利用したものがあり、商品陳列棚や棚板に載置される商品の形状や特性、交信距離にあわせて、より理想的な環境下に適合した最適な方式と周波数のＲＦＩＤアンテナとＲＦＩＤタグを適宜利用するようにすれば良い。
【００２５】
次いで、商品陳列棚１の内部構造を中心に具体的に説明する。図２に示されるように、ブラケット４の背面側の端部には下向き鈎状の係合片４ａが複数形成され、係合穴２ａに係合固定され脚柱２に取り付けられている。ブラケット４の上端には係止溝４ｂが複数形成され、それと対向するように棚板３の底面には係止片３ａが下向きに形成されており、ブラケット４に棚板３が載置されると係止溝４ｂに係止片３ａが係止され位置固定されるようになっている。同様にして、ブラケット４が多段に設けられ、これらブラケット４に棚板３が各々載置されている。
【００２６】
硬質プラスチック材からなる背面板６の裏面には、上下の棚板３から所定間隔（Ｌ１）以上離間して前面ＲＦＩＤアンテナ９が上下に複数設けられ（本実施例では５枚）、硬質プラスチック材からなる背面板７の裏面には、同じく、上下の棚板３から所定間隔（Ｌ１）以上離間して前面ＲＦＩＤアンテナ９が上下に複数設けられる（本実施例では５枚）。前面ＲＦＩＤアンテナ９及び後面ＲＦＩＤアンテナ１０の背面から所定間隔（Ｌ２）離間された位置には、電磁遮蔽材で構成された電磁遮蔽板２２が両脚柱２間に挟持されるように嵌合され取り付けられている。この電磁遮蔽板２２は前面ＲＦＩＤアンテナ９及び後面ＲＦＩＤアンテナ１０からそれぞれ発生される電磁波の互いの干渉を防止するために設けられている。
【００２７】
各前面ＲＦＩＤアンテナ９及び後面ＲＦＩＤアンテナ１０に接続された各々の通信ケーブル１８は、一つに束ねられて下方に配線され、載置台５の棚板後方に形成したケーブル孔５ａを介して中継装置１６と電源アダプタ１７に接続され、中継装置１６からＬＡＮケーブル２１が配線され、脚柱２に形成した配線孔２ｂを介して外部に配設されている。このように、通信ケーブル１８は背面板６と背面板７の間に配設されるので、通信ケーブル１８の配線が外部から隠蔽できるようになっている。
【００２８】
各棚板３毎に対応するように背面板６及び背面板７の背面に設けられた前面ＲＦＩＤアンテナ９及び後面ＲＦＩＤアンテナ１０の取付位置は、棚板３の上面から上方および棚板３の下面から下方にそれぞれ所定間隔（Ｌ１）以上離間した位置で取り付けられており、棚板３に載置される物品１９のＲＦＩＤタグ１１の物品情報の読み出しを行えるようになっている。
【００２９】
ＲＦＩＤアンテナ９、１０と電磁遮蔽材である棚板３との間隔（Ｌ１）については、ＲＦＩＤアンテナからの電磁波を棚板３から影響されることなくＲＦＩＤタグに受信させ、ＲＦＩＤタグからの電磁波を棚板３から影響されることなくＲＦＩＤアンテナに受信させるために、少なくともＲＦＩＤアンテナと棚板３との間隔を４０ｍｍ以上離間させることが好ましいことが実験的に検証されている。同じく物品に設けられるＲＦＩＤタグの取り付け位置も棚板３から４０ｍｍ以上離間させることが好ましい。そこで、本実施例においては図２に示されるように、商品陳列棚１に適用された前面ＲＦＩＤアンテナ９及び後面ＲＦＩＤアンテナ１０と棚板３との間隔（Ｌ１）が５０ｍｍとなっている。
【００３０】
このように、商品陳列棚１の背面板６及び背面板７の裏面に上下に所定間隔（Ｌ１）離間して複数の前面ＲＦＩＤアンテナ９及び後面ＲＦＩＤアンテナ１０を取り付けることで、読出装置である前面ＲＦＩＤアンテナ９及び後面ＲＦＩＤアンテナ１０とＲＦＩＤタグ１１の互いの電磁波の受信が各棚板３に影響されずに、物品のＲＦＩＤタグの情報を各棚板毎に確実に読み出すことができる。また、各棚板３は電磁遮蔽材で構成されているので、上下に位置するの前面ＲＦＩＤアンテナ９及び後面ＲＦＩＤアンテナ１０同士の電磁波が互いに干渉することなく、物品のＲＦＩＤタグ１１の情報を各棚板３毎に確実に読み出すことができる。
【００３１】
前面ＲＦＩＤアンテナ９及び後面ＲＦＩＤアンテナ１０と電磁遮蔽材である電磁遮蔽板２２との間隔（Ｌ２）については、ＲＦＩＤアンテナからの電磁波を電磁遮蔽板２２から影響されることなくＲＦＩＤタグに受信させ、ＲＦＩＤタグからの電磁波を電磁遮蔽板２２から影響されることなくＲＦＩＤアンテナに受信させるために、少なくともＲＦＩＤアンテナと電磁遮蔽板２２との間隔を４０ｍｍ以上離間させることが好ましいことが実験的に検証されている。そこで、本実施例においては図２に示されるように、商品陳列棚１に適用された前面ＲＦＩＤアンテナ９及び後面ＲＦＩＤアンテナ１０と電磁遮蔽板２２との間隔（Ｌ２）が５０ｍｍとなっている。
【００３２】
このように、両背面板６、７間に各前面ＲＦＩＤアンテナ９及び後面ＲＦＩＤアンテナ１０より所定間隔以上（Ｌ２）離間させた電磁遮蔽材に相当する電磁遮蔽板２２を設けることで、商品陳列棚１の前方と後方の背面板６、７に設けられた前面ＲＦＩＤアンテナ９及び後面ＲＦＩＤアンテナ１０の電磁波が互いに干渉することなく、物品のＲＦＩＤタグ１１の情報を各棚板３毎に確実に読み出すことができる。
【００３３】
さらに、背面板６及び背面板７の裏面に前面ＲＦＩＤアンテナ９及び後面ＲＦＩＤアンテナ１０が設けられることで、前面ＲＦＩＤアンテナ９及び後面ＲＦＩＤアンテナ１０が外部に露出することなく、背面板６及び背面板７がアンテナ保護被膜として前面ＲＦＩＤアンテナ９及び後面ＲＦＩＤアンテナ１０の保護機能を担うことで、例えば、物品１９の載置や取り出し等の外部からの衝撃による故障や劣化による補修等の問題が生じることを防止でき、長期にわたって使用することが可能となる。
【００３４】
図３に示されるように、前面ＲＦＩＤアンテナ９及び後面ＲＦＩＤアンテナ１０は背面板６及び背面板７の背面への所定の取付位置によって、左右の両脚柱２から内方に向かって所定間隔（Ｌ３）離間され取り付けられている。背面板６の前方の棚板３と背面板７の後方の棚板３には、物品１９が複数載置されており、これら物品１９の前面側と背面側にはＲＦＩＤタグ１１がそれぞれ取り付けられている。ＲＦＩＤタグ１１は前面ＲＦＩＤアンテナ９及び後面ＲＦＩＤアンテナ１０と平行になるように設けられている。
【００３５】
ＲＦＩＤアンテナと電磁遮蔽材である両脚柱２との間隔（Ｌ３）については、ＲＦＩＤアンテナからの電磁波を両脚柱２から影響されることなくＲＦＩＤタグに受信させ、ＲＦＩＤタグからの電磁波を両脚柱２から影響されることなくＲＦＩＤアンテナに受信させるために、少なくともＲＦＩＤアンテナと両脚柱２との間隔を４０ｍｍ以上離間させることが好ましいことが実験的に検証されている。そこで、本実施例においては図３に示されるように、前面ＲＦＩＤアンテナ９及び後面ＲＦＩＤアンテナ１０と両脚柱２との間隔（Ｌ３）を５０ｍｍとする。
【００３６】
このように、両脚柱２が電磁遮蔽材から構成される場合であっても、前面ＲＦＩＤアンテナ９及び後面ＲＦＩＤアンテナ１０を脚柱２から所定間隔（Ｌ３）以上離間しておくと、前面ＲＦＩＤアンテナ９及び後面ＲＦＩＤアンテナ１０とＲＦＩＤタグ１１の互いの電磁波の受信を電磁遮蔽材に影響されることが防止される。
【００３７】
以上の説明により実施例１では、読出装置に相当する前面ＲＦＩＤアンテナ９及び後面ＲＦＩＤアンテナ１０が電磁遮蔽材に相当する棚板３及び電磁遮蔽板２２、両脚柱２から所定間隔以上離間された状態であるため、前面ＲＦＩＤアンテナ９及び後面ＲＦＩＤアンテナ１０からの電磁波が棚板３及び両脚柱２に影響されることなくＲＦＩＤタグ１１に受信させ、ＲＦＩＤタグ１１からの電磁波を棚板３及び電磁遮蔽板２２、両脚柱２に影響されることなく前面ＲＦＩＤアンテナ９及び後面ＲＦＩＤアンテナ１０に受信させることができる。
【実施例２】
【００３８】
次に、本発明の実施例２を図４に基づいて説明する。図４は、実施例２における物品情報の読出装置を備える商品陳列棚の斜視図である。なお、以下の実施例２において前述の実施例１と同様の構造部分に関しては、同一の符号を付すことにより詳細な説明は省略することにする。
【００３９】
図４に示されるように、商品陳列棚１’の左右の両脚柱２の前方には複数の棚板３が多段に設けられ、同様に両脚柱２の後方には棚板３が多段に設けられている。各棚板３毎に対応するように、前方の背面板６と後方の背面板（図示略）の背面に前面ＲＦＩＤアンテナ９及び後面ＲＦＩＤアンテナ（図示略）が設けられ、各棚板３にはＲＦＩＤタグ（図示略）が取り付けられた物品１９が複数載置されている。
【００４０】
前方及び後方の棚板３の側端には、商品陳列棚１’の側面を構成するように、側面板１４が前後左右に設けられている。これら側面板１４は電磁遮蔽材から構成されており、側面板１４の背面側端部の上下方向に所定間隔毎に係合片１４ａが下向き鈎状に複数形成されている。
【００４１】
この係合片１４ａは脚柱２の係合穴２ａ及び脚柱２の背面側の係合穴（図示略）に係合可能に形成されており、係合穴２ａに係合片１４ａを前方から後方に向かって、または、背面側の係合穴（図示略）に係合片１４ａを後方から前方に向かって、係合することで容易に側面板１４を脚柱２に位置固定して取り付けることができるようになっており、各前面ＲＦＩＤアンテナ９及び後面ＲＦＩＤアンテナ（図示略）の電磁波が棚板３の両側端から外部に漏波することが防止される。
【００４２】
以上の説明により実施例２では、電磁遮蔽材からなる側面板１４によって、読出装置に相当する前面ＲＦＩＤアンテナ９及び後面ＲＦＩＤアンテナ（図示略）からの電磁波を棚板３の両側端で遮断することができ、前面ＲＦＩＤアンテナ９及び後面ＲＦＩＤアンテナ（図示略）によるＲＦＩＤタグ（図示略）の物品情報の読出範囲を制限することができるので、例えば、他のＲＦＩＤアンテナ（読出装置）との互いの電磁波の干渉や、電磁波の誤受信を未然に防止することができる。
【実施例３】
【００４３】
次に、本発明の実施例３を図５に基づいて説明する。図５は、実施例３における物品情報の読出装置を備える商品陳列棚の平面断面図である。なお、以下の実施例３において前述の実施例１と同様の構造部分に関しては、同一の符号を付すことにより詳細な説明は省略することにする。
【００４４】
前記の実施例１の商品陳列棚１においては、背面板６及び背面板７の背面の所定位置に前面ＲＦＩＤアンテナ９及び後面ＲＦＩＤアンテナ１０を設け、電磁遮蔽板２２から所定間隔（Ｌ２）離間させていたが（図３参照）、本実施例のものは電磁遮蔽板２２の前後面に磁性体１２を取り付けた点で相違している。
【００４５】
なお、本実施例で用いられる磁性体１２はゴム樹脂が利用され、シート状に構成されており、このようにすれば、電磁遮蔽板２２の前後面に取り付けた場合でも、電磁遮蔽板２２に荷重を極力加えないように軽量化を図れることから好ましいが、本発明はこれに限定されるものではないことは言うまでもなく、例えば、硬質磁石体の磁性体を用いても良いし、他の構成の磁性体を用いても良い。
【００４６】
ます、図５に示されるように、棚板３にはＲＦＩＤタグ３０が貼付された物品１９が複数収納されている。背面板６の背面には前面ＲＦＩＤアンテナ９、背面板７の背面には後面ＲＦＩＤアンテナ１０が設けられている。電磁遮蔽板２２の前後面には磁性体１２が貼付され取り付けられている。つまり、前方から後方に向かって背面板６、磁性体１２、電磁遮蔽板２２、磁性体１２、背面板７が順に多層状に配設され、両脚柱２間に取り付けられている。
【００４７】
背面板６と電磁遮蔽板２２及び背面板７と電磁遮蔽板２２の間に介挿される磁性体１２は、電磁遮蔽材である電磁遮蔽板２２が前面ＲＦＩＤアンテナ９及び後面ＲＦＩＤアンテナ１０から発せられる電磁波に与える影響を防ぐ特性を有している。
【００４８】
このことから、電磁遮蔽板２２に近接して前面ＲＦＩＤアンテナ９及び後面ＲＦＩＤアンテナ１０が配設されている場合でも、電磁遮蔽板２２と前面ＲＦＩＤアンテナ９及び後面ＲＦＩＤアンテナ１０との間に磁性体１２が介挿されていれば、前面ＲＦＩＤアンテナ９及び後面ＲＦＩＤアンテナ１０とＲＦＩＤタグ３０とが相互に送受信を行う電磁波は電磁遮蔽板２２に影響されることがなく、ＲＦＩＤタグ３０に記録される物品情報を含む電磁波の読み取りに不具合を生じさせることがない。
【００４９】
以上の説明により実施例３では、電磁遮蔽材に相当する電磁遮蔽板２２と、読出装置に相当する前面ＲＦＩＤアンテナ９及び後面ＲＦＩＤアンテナ１０との間に磁性体１２が介挿されているので、前面ＲＦＩＤアンテナ９及び後面ＲＦＩＤアンテナ１０とＲＦＩＤタグ１１との電磁波が電磁遮蔽板２２から影響を受けることがなく、ＲＦＩＤタグ１１の物品情報の読み出しが正確に行える。
【００５０】
しかも、電磁遮蔽板２２と前面ＲＦＩＤアンテナ９及び後面ＲＦＩＤアンテナ１０との間隔が前記実施例１の間隔（Ｌ２）よりもさらに間隔幅の狭い間隔（Ｌ４）となることから、棚板３の物品載置スペースが充分確保されるとともに、商品陳列棚１’’の設置面積の省スペース化を行うことが可能になる。
【００５１】
以上、本発明の実施例１、２、３を図面により説明してきたが、具体的な構成はこれら実施例に限られるものではなく、本発明の要旨を逸脱しない範囲における変更や追加があっても本発明に含まれ、上記実施例では、背面板６、７の背面側のそれぞれにＲＦＩＤアンテナ９を設けることで、ＲＦＩＤアンテナ９が外部に露出することなく、背面板６、７によって保護されることから好ましいが、本発明はこれに限定されるものではなく、例えば、ＲＦＩＤアンテナ９の表面にアンテナ保護被膜を設けることで、ＲＦＩＤアンテナ９を正面側に露出させるように設置しても良く、商品陳列棚１、１’、１’’の利用形態に合わせてＲＦＩＤアンテナ９の設置状態を決めるようにしても良い。
【００５２】
また、上記実施例では、ＲＦＩＤタグ１１が物品１９に貼付され取り付けられているが、本発明はこれに限定されるものではなく、例えば物品１９内にＲＦＩＤタグ１１を埋め込んで取り付けたり、物品１９内部にそのまま内挿した状態でも良く、物品の商品特性を生かした取り付け方法で適宜ＲＦＩＤタグを取り付ければ良い。
【００５３】
また、上記実施例では、管理コンピュータ２０を外部に設けた構成（図１参照）にすることで、他の複数の商品陳列棚（図示略）を一元的に管理可能にしているが、本発明はこれに限定されるものではなく、例えば、中継装置１６が収納される載置台５内に管理コンピュータ２０を内蔵するようにしても良く、商品陳列棚毎に物品の管理を行うようにしても良い。
【図面の簡単な説明】
【００５４】
【図１】本発明の実施例１における物品情報の読出装置を備える商品陳列棚の斜視図である。
【図２】図１のＡ−Ａ線を示す一部破断縦断面図である。
【図３】図１のＢ−Ｂ線を示す平面断面図である。
【図４】本発明の実施例２における物品情報の読出装置を備える商品陳列棚の斜視図である。
【図５】本発明の実施例３における物品情報の読出装置を備える商品陳列棚の平面断面図である。
【符号の説明】
【００５５】
１、１’、１’’    商品陳列棚
２                脚柱（電磁遮蔽材）
２ａ              係合穴
２ｂ              配線孔
３                棚板（電磁遮蔽材）
３ａ              係止片
４                ブラケット
４ａ              係合片
４ｂ              係止溝
５                載置台
５ａ              ケーブル孔
６、７            背面板
８                横架材
９                前面ＲＦＩＤアンテナ（読出装置）
１０              後面ＲＦＩＤアンテナ（読出装置）
１１              ＲＦＩＤタグ
１２              磁性体
１４              側面板（電磁遮蔽材）
１４ａ            係合片
１６              中継装置（集線装置及びデータ変換チューナ機能を備える）
１７              電源アダプタ
１８              通信ケーブル（給電ケーブル及び信号ケーブルを含む）
１９              物品
２０              管理コンピュータ
２１              ＬＡＮケーブル
２２              電磁遮蔽板（電磁遮蔽材）
【図１】
2005237653.tif 000003
【図２】
2005237653.tif 000004
【図３】
2005237653.tif 000005
【図４】
2005237653.tif 000006
【図５】
2005237653.tif 000007